(57)【要約】【課題】自然で違和感のない音を聴者が聴取することができるウェアラブルスピーカ装置の提供。【解決手段】ウェアラブルスピーカ装置１は、右スピーカ１１及び左スピーカ１２を支持する支持部材２０が聴者に装着可能に構成されたものである。ウェアラブルスピーカ装置１において、支持部材２０が、該支持部材２０を装着した聴者に向けて、右スピーカ１１または左スピーカ１２からの音を反射する反射部３１，３２を有する。【選択図】図１
2017050748.tif 000002
【特許請求の範囲】
【請求項１】
スピーカを支持する支持部材が聴者に装着可能に構成されたウェアラブルスピーカ装置であって、
前記支持部材は、該支持部材を装着した聴者に向けて、前記スピーカからの音を反射する反射部を有することを特徴とするウェアラブルスピーカ装置。
【請求項２】
前記支持部材は、
聴者が首掛け式で装着するための首掛け部と、
当該支持部材を装着した聴者の胸部の方向に前記首掛け部から延出する延出部と、を有し、
前記延出部の根元に前記反射部を有し、前記延出部の根元から離間した位置に前記スピーカを支持することを特徴とする請求項１に記載のウェアラブルスピーカ装置。
【請求項３】
前記反射部は、該反射部から前記スピーカまでの距離が、前記支持部材を装着した聴者の耳から前記スピーカまでの距離以上であることを特徴とする請求項１または２に記載のウェアラブルスピーカ装置。
【請求項４】
前記反射部は、球状、円柱状または円錐状に形成されていることを特徴とする請求項１〜３のいずれか１項に記載のウェアラブルスピーカ装置。
【請求項５】
前記スピーカは、前記支持部材を装着した聴者の外側に向くよう、前記支持部材に支持されていることを特徴とする請求項１〜３のいずれか１項に記載のウェアラブルスピーカ装置。
【発明の詳細な説明】
【技術分野】
【０００１】
本発明は、ウェアラブルスピーカ装置に関し、特に、聴者が耳以外の部分に装着して使用するウェアラブルスピーカ装置に関する。
【背景技術】
【０００２】
スピーカ装置などの音出力装置には、液晶テレビなどの表示装置に内蔵されて用いられるものがある。しかし、内蔵スピーカ装置は、小口径のものが多く、大音量が得られないこと等から臨場感が不足する場合が多い。臨場感を得るために、外部の大口径のスピーカシステムやヘッドホンを用いることが一般的に行われている。
【０００３】
大口径のスピーカシステムは、複数の視聴者が同時に観賞できるメリットがあり、また、ヘッドホンは、１つの装置に対して１人の視聴者しか観賞できないが、周囲の音が遮断される効果があり、没入感が得られるメリットがある。
しかし、一方で、大口径のスピーカシステムを使った観賞は、迫力のある音を得る場合、大音量のために、観賞していない人や近隣へ不快感を与えることがあり、視聴環境に条件や制約が生じることが多い。また、ヘッドホンによる観賞は、周りの音が聞こえなくなる問題や、音像が頭内に定位するということになり長時間の使用により疲労感を感じる問題等もある。
【０００４】
大口径のスピーカシステムやヘッドホンの上述のデメリットを解消するものとしては、聴者が耳以外の部分に装着して使用するスピーカすなわちウェアラブルスピーカ装置が考えられる。
【０００５】
特許文献１には、聴者の耳と非接触状態で首掛けを可能にした首掛け式のウェアラブルスピーカ装置が開示されている。このウェアラブルスピーカ装置は、聴者の首の背に接する湾曲部分を有したフレームと、湾曲部分の方向を向くように上記フレームの両端に設けられたスピーカとを備えており、該スピーカ装置を聴者が装着したときに、スピーカが聴者の顎の下に位置する。
【０００６】
特許文献２及び３には、聴者の首の後から前側に向かって掛けられる首掛け部を有し、首掛け部の両端にスピーカが設けられたウェアラブルスピーカ装置が開示されている。このウェアラブルスピーカ装置では、首掛け部が聴者の首に掛けられたときに右肩に右耳用のスピーカが位置すると共に左肩に左耳用のスピーカが位置する。
【先行技術文献】
【特許文献】
【０００７】
【特許文献１】特開２００９−２０１０８８号公報
【特許文献２】特開２００８−２６３３７４号公報
【特許文献３】特表平８−５１１１５１号公報
【発明の開示】
【発明が解決しようとする課題】
【０００８】
しかし、特許文献１〜３のようなウェアラブルスピーカ装置では、装着性を考慮すると、スピーカの位置を顔よりも下の位置にせざるを得ない。したがって、音が下方向から来ているように感じるため、聴者に不自然な印象及び違和感を与えることがある。
【０００９】
本発明は、上述のような実情に鑑みてなされたものであり、自然で違和感のない音を聴者が聴取することができるウェアラブルスピーカ装置を提供することをその目的とする。
【課題を解決するための手段】
【００１０】
上記課題を解決するために、本発明の第１の技術手段は、スピーカを支持する支持部材が聴者に装着可能に構成されたウェアラブルスピーカ装置であって、前記支持部材が、該支持部材を装着した聴者に向けて、前記スピーカからの音を反射する反射部を有することを特徴としたものである。
【００１１】
本発明の第２の技術手段は、第１の技術手段において、前記支持部材が、聴者が首掛け式で装着するための首掛け部と、当該支持部材を装着した聴者の胸部の方向に前記首掛け部から延出する延出部と、を有し、前記延出部の根元に前記反射部を有し、前記延出部の根元から離間した位置に前記スピーカを支持することを特徴としたものである。
【００１２】
本発明の第３の技術手段は、第１または第２の技術手段において、前記反射部が、該反射部から前記スピーカまでの距離が、前記支持部材を装着した聴者の耳から前記スピーカまでの距離以上であることを特徴としたものである。
【００１３】
本発明の第４の技術手段は、第１〜第３の技術手段において、前記反射部が、球状、円柱状または円錐状に形成されていることを特徴としたものである。
【００１４】
本発明の第５の技術手段は、第１〜第４のいずれか１の技術手段において、前記スピーカが、前記支持部材を装着した聴者の外側に向くよう、前記支持部材に支持されていることを特徴としたものである。
【発明の効果】
【００１５】
本発明のウェアラブルスピーカ装置によれば、自然で違和感のない音を聴者が聴取することができる。
【図面の簡単な説明】
【００１６】
【図１】本発明の第１の実施形態に係るウェアラブルスピーカ装置の上面図である。
【図２】図１のウェアラブルスピーカ装置を身に付けた聴者の様子を示す図である。
【図３】図１のウェアラブルスピーカ装置の反射部の他の例を示す図である。
【図４】図１のウェアラブルスピーカ装置の反射部の別の例を示す図である。
【図５】本発明の第１の実施形態に係るウェアラブルスピーカ装置の別の例を説明するための概略上面図である。
【図６】本発明の第２の実施形態に係るウェアラブルスピーカ装置を説明するための概略上面図である。
【図７】本発明の第３の実施形態に係るウェアラブルスピーカ装置を説明するための図である。
【発明を実施するための形態】
【００１７】
以下、図面を参照しながら、本発明のウェアラブルスピーカ装置の好適な実施形態について説明する。なお、以下の発明において、異なる図面においても同じ符号を付した構成は同様のものであるとして、その説明を省略する場合がある。
【００１８】
（第１の実施形態）
図１は、本発明の第１の実施形態に係るウェアラブルスピーカ装置の上面図である。なお、本明細書において、ウェアラブルスピーカ装置のスピーカが設けられた側をウェアラブルスピーカ装置の前側とし、また、ウェアラブルスピーカ装置の支持部材を水平としたときにスピーカが位置する側をウェアラブルスピーカ装置の上側とする。
【００１９】
図１のウェアラブルスピーカ装置１は、上面視で逆Ｕ字状に形成されており、聴者が身に付けて使用するものである。このウェアラブルスピーカ装置１は、右スピーカ１１と、左スピーカ１２と、支持部材２０と、反射部３１，３２とを有する。
【００２０】
右スピーカ１１は、右耳用の音を出力するものであり、左スピーカ１２は、左耳用の音を出力するものである。右スピーカ１１及び左スピーカ１２はそれぞれ、振動して音を発生する振動板１１ａ，１２ａと、該振動板１１ａ，１２ａを駆動する駆動部１１ｂ，１２ｂと、振動板１１ａ，１２ａ及び駆動部１１ｂ，１２ｂを覆うスピーカボックス１１ｃ，１２ｃを有する。振動板１１ａ，１２ａ及び駆動部１１ｂ，１２ｂは、不図示のフレームを介してスピーカボックス１１ｃ，１２ｃに固定されている。
【００２１】
支持部材２０は、右スピーカ１１、左スピーカ１２及び反射部３１，３２を支持するものであり、聴者が装着できるよう上面視Ｕ字状に形成されており、首掛け部２０ａと延出部２０ｂとを有する。首掛け部２０ａは聴者が首掛け式で装着するためのものであり、延出部２０ｂは、首掛け部２０ａから前方、すなわち支持部材２０を装着した聴者の胸部の方向に延出するものである。支持部材２０は、延出部２０ｂの根元すなわち首掛け部２０ａ側の端部に反射部３１，３２を支持し、延出部２０ｂの根元から離間した位置に右スピーカ１１及び左スピーカ１２を支持する。支持部材２０は、右スピーカ１１及び左スピーカ１２の振動板１１ａ、１２ａがそれぞれ反射部３１，３２の方向に向くように右スピーカ１１及び左スピーカ１２を支持する。
【００２２】
反射部３１，３２は、右スピーカ１１または左スピーカ１２から発せられた音を聴者に向けて反射するものであり、図の例では球状に形成されている。反射部３１，３２を構成する材料は、音を吸収したり音により振動したりするものでなければよい。
【００２３】
図２は、図１のウェアラブルスピーカ装置１を身に付けた聴者の様子を示す図であり、図２（Ａ）は正面図、図２（Ｂ）は右側面図である。
【００２４】
ウェアラブルスピーカ装置１は、図２（Ａ）に示すように、支持部材２０の後端に設けられた首掛け部２０ａを聴者Ｕの首に掛ける形態で聴者Ｕに装着される。上記スピーカ装置１が聴者Ｕに装着されたときには、支持部材２０の延出部２０ｂの下面が聴者Ｕの肩や胸に接触し、右スピーカ１１及び左スピーカ１２の振動板１１ａ、１２ａ（図１参照）がそれぞれ、聴者Ｕの顔の下の位置であって右耳及び左耳と対向する場所に位置した状態で、聴者Ｕの右耳及び左耳の方向に向く。
また、ウェアラブルスピーカ装置１が聴者Ｕに装着されたときには、図２（Ｂ）に示すように反射部３１が右耳より後方の場所、すなわち右スピーカ１１より遠い場所に位置する。図示は省略するが、反射部３２は、ウェアラブルスピーカ装置１が聴者Ｕに装着されたときには、左耳より後方の場所、すなわち左スピーカ１２より遠い場所に位置する。
【００２５】
したがって、ウェアラブルスピーカ装置１では、右スピーカ１１から発せられた音が、聴者Ｕの右耳に直接聴取されることに加えて、反射部３１により反射されてから聴者Ｕの右耳に聴取される。また、左スピーカ１２から発せられた音が、聴者Ｕの左耳に直接聴取されることに加えて、反射部３２により反射されてから聴者Ｕの左耳に聴取される。
そのため、ウェアラブルスピーカ装置１では、反射部３１，３２がない場合に比べて、音像の位置が高くなるため、より自然で違和感のない音を聴者Ｕが聴取することができる。
【００２６】
なお、反射部３１，３２は上述のように球状であり、聴者Ｕの右耳や左耳に集音する形状とはなっておらず、入射した音を拡散する形状を有している。仮に、反射部３１，３２の形状が聴者Ｕの右耳や左耳に集音する形状であると、ウェアラブルスピーカ装置を装着した聴者の右耳及び左耳付近における反射部３１，３２を音源とする音圧分布の変化が大きくなる。反射部３１，３２を非集音形状である球状とすることにより、上記音圧分布の変化が小さくなるため、聴者Ｕが左右に首を回したときに聴取される音圧の変化が小さいので、広い空間にスピーカを配置しているような自然な音場を再現できる。
【００２７】
また、反射部３１，３２は、ウェアラブルスピーカ装置１と一体に設けられている。一体に設けることによって、スピーカ１１，１２と反射部３１，３２との位置関係を一定にすることができるので、反射部３１，３２によって反射された音をより適切に聴者Ｕの耳に導くことができる。
【００２８】
また、反射部３１，３２の位置は、ウェアラブルスピーカ装置１を装着した状態における聴者Ｕの右耳及び左耳の後側に限られず、右耳及び左耳の側方に位置してもよい。言い換えると、反射部３１から右スピーカ１１までの距離が、ウェアラブルスピーカ装置１を装着した聴者Ｕの右耳から右スピーカ１１までの距離以上であり、反射部３２から左スピーカ１２までの距離が、ウェアラブルスピーカ装置１を装着した聴者Ｕの左耳から左スピーカ１２までの距離以上であればよい。
【００２９】
図３は、反射部３１の他の例を示す図であり、図３（Ａ）及び図３（Ｂ）はそれぞれウェアラブルスピーカ装置の部分拡大正面図及び部分拡大右側面図である。
反射部３１の非集音形状は、図２等の球状に限られず、図３（Ａ）及び図３（Ｂ）に示すように円錐状であってもよい。
反射部３１は、円錐状である場合、例えば、その頂点が右スピーカ１１（図２（Ａ）参照）の方向に向くように支持部材２０に取り付けられる。
右スピーカ１１に対する反射部３１だけでなく、左スピーカに対する反射部についても同様に円錐状であってもよい。
【００３０】
図４は、反射部３１の別の例を示す図であり、図４（Ａ）及び図４（Ｂ）はそれぞれウェアラブルスピーカ装置の部分拡大正面図及び部分拡大右側面図である。
反射部４１の非集音形状は、図２等の球状や図３の円錐状に限られず、図４（Ａ）及び図４（Ｂ）に示すように円柱状であってもよい。
反射部３１は、円柱状である場合、例えば、その外面を構成する曲面が右スピーカ１１（図２（Ａ）参照）に対向するとともに、その軸方向が首掛け部２０ａの延在方向に平行となり且つ延出部２０ｂの延在方向と直交するように、支持部材２０に取り付けられる。
右スピーカ１１に対する反射部３１だけでなく、左スピーカに対する反射部についても同様に円柱状であってもよい。
【００３１】
図５は、本発明の第１の実施形態に係るウェアラブルスピーカ装置の別の例を説明するための概略上面図である。
図のウェアラブルスピーカ装置１´は、図１等のウェアラブルスピーカ装置１と異なり、支持部材２０´の形状がＵ字状ではなく環状となっている。
このように、本発明に係るウェアラブルスピーカ装置では、支持部材の形状は、Ｕ字状に限られず環状であってもよく、その他、以下の形状であればよい。すなわち、上述の首掛け部及び延出部を有し、且つ、延出部の根元、言い換えると、上記スピーカ装置の装着時における右耳及び左耳の周辺に反射部を有し、延出部の根元から離間した位置にスピーカを支持する形状であればよい。
【００３２】
（第２の実施形態）
図６は、本発明の第２の実施形態に係るウェアラブルスピーカ装置の例を説明するための概略上面図である。
図６のウェアラブルスピーカ装置２は、図２のウェアラブルスピーカ装置１と同様に、Ｕ字状の支持部材２０により右スピーカ１１及び左スピーカ１２を支持する。しかし、ウェアラブルスピーカ装置２は、前述のウェアラブルスピーカ装置１と異なり、右スピーカ１１の振動板１１ａが右側方に向くよう該右スピーカ１１を支持部材２０により支持し、左スピーカ１２の振動板１２ａが左側方に向くよう該左スピーカ１２を支持部材２０により支持する。
【００３３】
このように各スピーカ１１，１２を側方外側に向くように支持することによって、耳の方向に向くように支持する場合に比べて、各スピーカ１１，１２の振動板１１ａ，１２ａを音源とする音圧分布は、聴者の耳付近において、変化を少なくすることができる。したがって、ウェアラブルスピーカ装置２では、聴者が左右に首を回したときに聴取される音圧の変化が小さく、より自然な音場を再現することができる。
【００３４】
（第３の実施形態）
図７は、本発明の第３の実施形態に係るウェアラブルスピーカ装置の例を説明するための図であり、図７（Ａ）はその概略上面図、図７（Ｂ）は前方部分の断面図である。
図７（Ａ）のウェアラブルスピーカ装置３は、図６のウェアラブルスピーカ装置２と同様に、それぞれの振動板１１ａ，１２ａが外側に向くように各スピーカ１１，１２を支持する。しかし、前述のウェアラブルスピーカ装置２では各スピーカ１１，１２を聴者の耳と対向するような位置に有していたが、ウェアラブルスピーカ装置３では、各スピーカ１１，１２を聴者の顔の下の位置であって顔の正面の位置に有している。
このように、本発明において、スピーカの位置は第１の実施形態の位置に限られない。
【００３５】
また、ウェアラブルスピーカ装置３は、図７（Ｂ）に示すように、支持部材２０”が中空部材で形成されており、支持部材２０”の中空部分と、各スピーカ１１，１２のスピーカボックス１１ｃ，１２ｃの中空部分とが連結しており、言い換えると、スピーカのスピーカボックスが装着可能な構成となっている。このように、スピーカボックスが装着可能な構成にすることにより、低音により発生した振動が聴者に伝わるので、より臨場感を与えることができる。
【００３６】
なお、中高音により発生した振動が聴者に伝わると、不自然で不快感を与えてしまうので、支持部材２０”の聴者との接触部分に対してスピーカ１１，１２寄りの位置であって支持部材２０”の内部の位置に、中高音の伝達を防ぐバスレフダクトなどの中高音伝達防止部を設けることが好ましい。
また、右スピーカ１１のスピーカボックス１１ｃの中空部分と左スピーカ１２のスピーカボックス１２ｃと中空部分とを隔てるように、支持部材２０”の後端部に隔壁２０ｃが設けられている。
【００３７】
上述の第３の実施形態の構成は、第１の実施形態や第２の実施形態にも適用することができる。
【符号の説明】
【００３８】
１，１´，２，３…ウェアラブルスピーカ装置、１１…右スピーカ、１２…左スピーカ、１１ａ，１２ａ…振動板，１１ｂ，１２ｂ…駆動部、１１ｃ，１２ｃ…スピーカボックス、２０，２０´，２０”…支持部材、２０ａ…首掛け部、２０ｂ…延出部、２０ｃ…隔壁、-３１，３２…反射部。
【図１】
2017050748.tif 000003
【図２】
2017050748.tif 000004
【図３】
2017050748.tif 000005
【図４】
2017050748.tif 000006
【図５】
2017050748.tif 000007
【図６】
2017050748.tif 000008
【図７】
2017050748.tif 000009